(57)【要約】【課題】  複数のサブアレーを備える端末装置がビームフォーミングによる伝送をした場合に、周波数利用効率又はスループットを向上することが可能な端末装置、基地局装置及び通信方法を提供すること。【解決手段】  本実施形態の一態様に係る端末装置は、複数のサウンディング参照信号（ＳＲＳ）リソースの設定を示すＳＲＳリソースセット設定情報を複数取得し、前記ＳＲＳリソースに基づいてＳＲＳと、上りリンク共有チャネル（ＰＵＳＣＨ）を送信し、前記ＳＲＳリソースセット設定情報に含まれる複数のＳＲＳリソースの１つを示す情報（ＳＲＩ）を、下りリンク制御情報チャネル（ＰＤＣＣＨ）を介して送信される制御情報（ＤＣＩ）から取得し、前記ＰＵＳＣＨに対して、前記複数のＳＲＳリソースセット設定情報のうち、１つのみが関連付けられているか否かを示す情報を、前記ＤＣＩから取得する。【選択図】図２
2019103057.tif 000002
【特許請求の範囲】
【請求項１】
基地局装置と通信する端末装置であって、
複数のサウンディング参照信号（ＳＲＳ）リソースの設定を示すＳＲＳリソースセット設定情報を複数取得する受信部と、
前記ＳＲＳリソースに基づいてサウンディング参照信号（ＳＲＳ）と、上りリンク共有チャネル（ＰＵＳＣＨ）を送信する送信部と、を備え、
前記受信部は、前記ＳＲＳリソースセット設定情報に含まれる複数のＳＲＳリソースの１つを示す情報（ＳＲＩ）を、下りリンク制御情報チャネル（ＰＤＣＣＨ）を介して送信される制御情報（ＤＣＩ）から取得し、
前記ＰＵＳＣＨに対して、前記複数のＳＲＳリソースセット設定情報のうち、１つのみが関連付けられているか否かを示す情報を、前記ＤＣＩから取得する、端末装置。
【請求項２】
前記ＳＲＩは、前記ＤＣＩに含まれる所定のビット数を備えるＳＲＩフィールドに記載され、
前記所定のビット数のうち、少なくとも１ビットは、前記ＰＵＳＣＨに対して、前記複数のＳＲＳリソースセット設定情報のうち、１つのみが関連付けられているか否かを示す、請求項１に記載の端末装置。
【請求項３】
前記ＳＲＩは、前記ＤＣＩに含まれる所定のビット数を備えるＳＲＩフィールドに記載され、
前記ＰＵＳＣＨに対して、複数の前記ＳＲＳリソースセット設定情報が関連付けられている場合、前記ＳＲＩフィールドは、少なくとも２つのビット領域に分割され、
異なる前記ビット領域に記載された前記ＳＲＩは、それぞれ異なる前記ＳＲＳリソースセット設定情報に関連付けられている、請求項１に記載の端末装置。
【請求項４】
前記ＳＲＩは、前記ＤＣＩに含まれる所定のビット数を備えるＳＲＩフィールドに記載され、
前記ＤＣＩは、前記ＰＵＳＣＨに対して、前記複数のＳＲＳリソースセット設定情報のうち、１つのみが関連付けられているか否かを示す情報を記載する第１のフィールドを含み、
前記第１のフィールドに記載された情報に基づいて、前記ＳＲＩフィールドに記載された情報の解釈方法を切り替える、請求項１に記載の端末装置。
【請求項５】
前記ＳＲＩは、前記ＤＣＩに含まれる所定のビット数を備えるＳＲＩフィールドに記載され、
複数のＲＮＴＩが設定され、
前記ＤＣＩを復号する際に用いた前記ＲＮＴＩに基づいて、前記ＳＲＩフィールドに記載された情報の解釈方法を切り替える、請求項１に記載の端末装置。
【請求項６】
端末装置と通信する基地局装置であって、
複数のサウンディング参照信号（ＳＲＳ）リソースの設定を示すＳＲＳリソースセット設定情報を複数通知する送信部と、
前記ＳＲＳリソースに基づいてサウンディング参照信号（ＳＲＳ）と、上りリンク共有チャネル（ＰＵＳＣＨ）を受信する受信部と、を備え、
前記送信部は、前記ＳＲＳリソースセット設定情報に含まれる複数のＳＲＳリソースの１つを示す情報（ＳＲＩ）を、下りリンク制御情報チャネル（ＰＤＣＣＨ）を介して送信する制御情報（ＤＣＩ）に含め、
前記ＰＵＳＣＨに対して、前記複数のＳＲＳリソースセット設定情報のうち、１つのみが関連付けられているか否かを示す情報を、前記ＤＣＩに含める、基地局装置。
【請求項７】
基地局装置と通信する端末装置の通信方法であって、
複数のサウンディング参照信号（ＳＲＳ）リソースの設定を示すＳＲＳリソースセット設定情報を複数取得するステップと、
前記ＳＲＳリソースに基づいてサウンディング参照信号（ＳＲＳ）と、上りリンク共有チャネル（ＰＵＳＣＨ）を送信するステップと、
前記ＳＲＳリソースセット設定情報に含まれる複数のＳＲＳリソースの１つを示す情報（ＳＲＩ）を、下りリンク制御情報チャネル（ＰＤＣＣＨ）を介して送信される制御情報（ＤＣＩ）から取得するステップと、
前記ＰＵＳＣＨに対して、前記複数のＳＲＳリソースセット設定情報のうち、１つのみが関連付けられているか否かを示す情報を、前記ＤＣＩから取得するステップと、を備える通信方法。
【発明の詳細な説明】
【技術分野】
【０００１】
本発明は、端末装置、基地局装置および通信方法に関する。
【背景技術】
【０００２】
２０２０年頃の商業サービス開始を目指し、第５世代移動無線通信システム（5Gシステム）に関する研究・開発活動が盛んに行なわれている。最近、国際標準化機関である国際電気通信連合  無線通信部門（International Telecommunication Union Radio communications Sector：ＩＴＵ−Ｒ）より、５Ｇシステムの標準方式（International mobile telecommunication - 2020 and beyond：IMT-2020）に関するビジョン勧告が報告された（
非特許文献１参照）。
【０００３】
通信システムがデータトラフィックの急増に対処していく上で、周波数資源の確保は重要な課題である。そこで５Ｇでは、ＬＴＥ（Long term evolution）で用いられた周波数
バンド（周波数帯域）よりも高周波数帯を用いて超大容量通信を実現することがターゲットの１つとなっている。
【０００４】
しかしながら、高周波数帯を用いる無線通信では、パスロスが問題となる。パスロスを補償するために、多数のアンテナによるビームフォーミングが有望な技術となっている（非特許文献２参照）。また、独立なビームフォーミングが設定された複数のアンテナ（アンテナパネル）を備え、該アンテナを適切に切り替えることにより、パスロスを補償することも考えられている。
【先行技術文献】
【非特許文献】
【０００５】
【非特許文献１】“IMT Vision - Framework and overall objectives of the future development of IMT for 2020 and beyond,” Recommendation ITU-R M.2083-0, Sept. 2015.
【非特許文献２】E. G. Larsson, O. Edfors, F. Tufvesson, and T. L. Marzetta, “Massive MIMO for next generation wireless system,” IEEE Commun. Mag., vol.52, no. 2, pp. 186-195, Feb. 2014.
【発明の概要】
【発明が解決しようとする課題】
【０００６】
しかしながら、複数のアンテナパネルを備えている場合、特に高周波数帯を用いる場合には、選択するアンテナパネルによって、伝送特性は大幅に変化する。また、複数の基地局装置を備える通信システムにおいて、各基地局装置に対して、それぞれ適切なアンテナパネルが設定されることで、高周波数帯においても安定した通信品質が実現される一方で、アンテナパネルの選択の誤りは、通信品質を著しく劣化させてしまうという問題が生ずる可能性がある。
【０００７】
本発明はこのような事情を鑑みてなされたものであり、その目的は、独立なビームフォーミングが設定された複数のアンテナを備えた端末装置が、１ないし複数の基地局装置との間で通信を行なう際に、適切にアンテナを選択することによって、通信品質を安定させ、ひいては、周波数利用効率又はスループットを向上することが可能な基地局装置、端末装置及び通信方法を提供することにある。
【課題を解決するための手段】
【０００８】
上述した課題を解決するために本発明に係る端末装置及び通信方法の構成は、次の通りである。
【０００９】
（１）すなわち、本発明の一態様に係る端末装置は、基地局装置と通信する端末装置であって、複数のサウンディング参照信号（ＳＲＳ）リソースの設定を示すＳＲＳリソースセット設定情報を複数取得する受信部と、前記ＳＲＳリソースに基づいてサウンディング参照信号（ＳＲＳ）と、上りリンク共有チャネル（ＰＵＳＣＨ）を送信する送信部と、を備え、前記受信部は、前記ＳＲＳリソースセット設定情報に含まれる複数のＳＲＳリソースの１つを示す情報（ＳＲＩ）を、下りリンク制御情報チャネル（ＰＤＣＣＨ）を介して送信される制御情報（ＤＣＩ）から取得し、前記ＰＵＳＣＨに対して、前記複数のＳＲＳリソースセット設定情報のうち、１つのみが関連付けられているか否かを示す情報を、前記ＤＣＩから取得する。
【００１０】
（２）また、本発明の一態様に係る端末装置は、上記（１）に記載され、前記ＳＲＩは、前記ＤＣＩに含まれる所定のビット数を備えるＳＲＩフィールドに記載され、前記所定のビット数のうち、少なくとも１ビットは、前記ＰＵＳＣＨに対して、前記複数のＳＲＳリソースセット設定情報のうち、１つのみが関連付けられているか否かを示す。
【００１１】
（３）また、本発明の一態様に係る端末装置は、上記（１）に記載され、前記ＳＲＩは、前記ＤＣＩに含まれる所定のビット数を備えるＳＲＩフィールドに記載され、前記ＰＵＳＣＨに対して、複数の前記ＳＲＳリソースセット設定情報が関連付けられている場合、前記ＳＲＩフィールドは、少なくとも２つのビット領域に分割され、異なる前記ビット領域に記載された前記ＳＲＩは、それぞれ異なる前記ＳＲＳリソースセット設定情報に関連付けられている。
【００１２】
（４）また、本発明の一態様に係る端末装置は、上記（１）に記載され、前記ＳＲＩは、前記ＤＣＩに含まれる所定のビット数を備えるＳＲＩフィールドに記載され、前記ＤＣＩは、前記ＰＵＳＣＨに対して、前記複数のＳＲＳリソースセット設定情報のうち、１つのみが関連付けられているか否かを示す情報を記載する第１のフィールドを含み、前記第１のフィールドに記載された情報に基づいて、前記ＳＲＩフィールドに記載された情報の解釈方法を切り替える。
【００１３】
（５）また、本発明の一態様に係る端末装置は、上記（１）に記載され、前記ＳＲＩは、前記ＤＣＩに含まれる所定のビット数を備えるＳＲＩフィールドに記載され、複数のＲＮＴＩが設定され、前記ＤＣＩを復号する際に用いた前記ＲＮＴＩに基づいて、前記ＳＲＩフィールドに記載された情報の解釈方法を切り替える。
【００１４】
（６）また、本発明の一態様に係る基地局装置は、端末装置と通信する基地局装置であって、複数のサウンディング参照信号（ＳＲＳ）リソースの設定を示すＳＲＳリソースセット設定情報を複数通知する送信部と、前記ＳＲＳリソースに基づいてサウンディング参照信号（ＳＲＳ）と、上りリンク共有チャネル（ＰＵＳＣＨ）を受信する受信部と、を備え、前記送信部は、前記ＳＲＳリソースセット設定情報に含まれる複数のＳＲＳリソースの１つを示す情報（ＳＲＩ）を、下りリンク制御情報チャネル（ＰＤＣＣＨ）を介して送信する制御情報（ＤＣＩ）に含め、前記ＰＵＳＣＨに対して、前記複数のＳＲＳリソースセット設定情報のうち、１つのみが関連付けられているか否かを示す情報を前記ＤＣＩに含める。
【００１５】
（７）また、本発明の一態様に係る通信方法は、基地局装置と通信する端末装置の通信方法であって、複数のサウンディング参照信号（ＳＲＳ）リソースの設定を示すＳＲＳリソースセット設定情報を複数取得するステップと、前記ＳＲＳリソースに基づいてサウン
ディング参照信号（ＳＲＳ）と、上りリンク共有チャネル（ＰＵＳＣＨ）を送信するステップと、前記ＳＲＳリソースセット設定情報に含まれる複数のＳＲＳリソースの１つを示す情報（ＳＲＩ）を、下りリンク制御情報チャネル（ＰＤＣＣＨ）を介して送信される制御情報（ＤＣＩ）から取得するステップと、前記ＰＵＳＣＨに対して、前記複数のＳＲＳリソースセット設定情報のうち、１つのみが関連付けられているか否かを示す情報を、前記ＤＣＩから取得するステップと、を備える。
【発明の効果】
【００１６】
本発明によれば、独立なビームフォーミングが設定された複数のアンテナを備えた端末装置が、適切にアンテナを選択することによって、通信品質を安定させ、周波数利用効率又はスループットを向上することが可能となる。
【図面の簡単な説明】
【００１７】
【図１】本実施形態に係る通信システムの例を示す図である
【図２】本実施形態に係る基地局装置の構成例を示すブロック図である
【図３】本実施形態に係る端末装置の構成例を示すブロック図である
【図４】本実施形態に係る通信システムの例を示す図である
【図５】本実施形態に係る通信システムの例を示す図である
【発明を実施するための形態】
【００１８】
本実施形態における通信システムは、基地局装置（送信装置、セル、送信点、送信アンテナ群、送信アンテナポート群、コンポーネントキャリア、ｅＮｏｄｅＢ、送信ポイント、送受信ポイント、送信パネル、アクセスポイント）および端末装置（端末、移動端末、受信点、受信端末、受信装置、受信アンテナ群、受信アンテナポート群、ＵＥ、受信ポイント、受信パネル、ステーション）を備える。また端末装置と接続している（無線リンクを確立している）基地局装置をサービングセルと呼ぶ。
【００１９】
本実施形態における基地局装置及び端末装置は、免許が必要な周波数帯域（ライセンスバンド）及び／又は免許不要の周波数帯域（アンライセンスバンド）で通信することができる。
【００２０】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２１】
図１は、本実施形態に係る通信システムの例を示す図である。図１に示すように、本実施形態における通信システムは、基地局装置１Ａ、端末装置２Ａを備える。また、カバレッジ１−１は、基地局装置１Ａが端末装置と接続可能な範囲（通信エリア）である。また基地局装置１Ａを単に基地局装置とも呼ぶ。また端末装置２Ａを単に端末装置とも呼ぶ。
【００２２】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２３】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive 
acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２４】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）、好適なＣＳＩ−ＲＳリソースを
示すＣＳＩ−ＲＳ（Reference Signal、参照信号）リソース指標ＣＲＩ（CSI-RS Resource Indicator）などが該当する。
【００２５】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率に
より定められたインデックス（CQI Index）とすることができる。前記ＣＱＩ値は、予め
当該システムで定めたものをすることができる。
【００２６】
前記ＣＲＩは、複数のＣＳＩ−ＲＳリソースから受信電力／受信品質が好適なＣＳＩ−ＲＳリソースを示す。
【００２７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ＣＱＩ値、ＰＭＩ値、ＲＩ値及びＣＲＩ値の一部又は全部をＣＳＩ値とも総称する。
【００２８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２９】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３１】
ＰＲＡＣＨは、ランダムアクセスプリアンブルを送信するために用いられる。
【００３２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）、ＰＴ−ＲＳ（Phase-Tracking reference signal）が含まれる。
【００３３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。例えば、基地局装置１Ａは、上りリンクのチャネル状態を測定するためにＳＲＳを使用する。またＳＲＳは上りリンクの観測（サウンディング）に用いられる。またＰＴ−ＲＳは位相雑音を補償するために用いられる。なお、上りリンクのＤＭＲＳを上りリンクＤＭＲＳとも呼ぶ。
【００３４】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３５】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭ（Orthogonal Frequency Division Multiplexing;直交周波数分割多重）シンボルの数）を指示する情報
を送信するために用いられる。なお、ＭＩＢは最小システムインフォメーションとも呼ぶ。
【００３６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００３７】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３９】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、
下りリンクに対するＤＣＩフォーマットを、下りリンクグラント（または、下りリンクアサインメント）とも称する。
【００４０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４１】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４２】
また、上りリンクに対するＤＣＩフォーマットは、下りリンクのチャネル状態情報（ＣＳＩ；Channel State Information。受信品質情報とも称する。）を要求（CSI request）するために用いることができる。
【００４３】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４４】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。
【００４５】
例えば、チャネル状態情報報告は、半永続的なチャネル状態情報（semi-persistent CSI）を報告する上りリンクリソースを示す設定のために用いることができる。チャネル状
態情報報告は、半永続的にチャネル状態情報を報告するモード設定（CSI report mode）
のために用いることができる。
【００４６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４９】
また、ＰＤＳＣＨは、システムインフォメーションメッセージを送信するために用いら
れる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５０】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２Ａに対して専用のメッセージ（dedicated signalingとも称する）であっても良い。す
なわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００５１】
ここで、ＲＲＣメッセージおよび／またはＭＡＣ  ＣＥを、上位層の信号（higher layer signaling）とも称する。
【００５２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００５３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００５４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。なお、同期信号には、プライマリ同期信号（Primary Synchronization Signal: PSS）とセカンダリ同期信号（Secondary Synchronization Signal: SSS）がある。
【００５５】
同期信号は、端末装置が、下りリンクの周波数領域および時間領域の同期を取るために用いられる。また、同期信号は受信電力、受信品質又は信号対干渉雑音電力比（Signal-to-Interference and Noise power Ratio: SINR）を測定するために用いられる。なお、同期信号で測定した受信電力をＳＳ−ＲＳＲＰ（Synchronization Signal - Reference Signal Received Power）、同期信号で測定した受信品質をＳＳ−ＲＳＲＱ（Reference Signal Received Quality）、同期信号で測定したＳＩＮＲをＳＳ−ＳＩＮＲとも呼ぶ。なお
、ＳＳ−ＲＳＲＱはＳＳ−ＲＳＲＰとＲＳＳＩの比である。ＲＳＳＩ（Received Signal Strength Indicator）はある観測期間におけるトータルの平均受信電力である。また、同期信号／下りリンク参照信号は、端末装置が、下りリンク物理チャネルの伝搬路補正を行なうために用いられる。例えば、同期信号／下りリンク参照信号は、端末装置が、下りリンクのチャネル状態情報を算出するために用いられる。
【００５６】
ここで、下りリンク参照信号には、ＣＲＳ（Cell-specific Reference Signal;
セル固有参照信号）、ＤＭＲＳ（Demodulation Reference Signal；復調参照信号）、Ｎ
ＺＰ  ＣＳＩ−ＲＳ（Non-Zero Power Channel State Information - Reference Signal
）、ＺＰ  ＣＳＩ−ＲＳ（Zero Power Channel State Information - Reference Signal
）、ＰＴ−ＲＳ、ＴＲＳ（Tracking Reference Signal）が含まれる。なお、下りリンク
のＤＭＲＳを下りリンクＤＭＲＳとも呼ぶ。なお、以降の実施形態で、単にＣＳＩ−ＲＳといった場合、ＮＺＰ  ＣＳＩ−ＲＳ及び／又はＺＰ  ＣＳＩ−ＲＳを含む。
【００５７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＤＭＲＳは、ＤＭＲＳが関連するＰＤＳＣＨ／ＰＢＣＨ／ＰＤＣＣＨ／ＥＰＤＣＣＨの送信に用いられるサブフレームおよび帯域で送信され、ＤＭＲＳが関連するＰＤＳＣＨ／ＰＢＣＨ／ＰＤＣＣＨ／ＥＰＤＣＣＨの復調を行なうために用いられる。
【００５８】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。またＮＺＰ  ＣＳＩ−ＲＳは、好適なビーム方向を探索するビーム走査やビーム方向の受信電力／受信品質が劣化した際にリカバリするビームリカバリ等に用いられる。ＺＰ  ＣＳＩ−ＲＳのリソースは、基地局装置１Ａによって設定される。基地局装置１Ａは、ＺＰ
ＣＳＩ−ＲＳをゼロ出力で送信する。例えば、端末装置２Ａは、ＺＰ  ＣＳＩ−ＲＳが対応するリソースにおいて干渉の測定を行なう。
【００５９】
またＣＳＩ−ＲＳは、受信電力、受信品質、又はＳＩＮＲの測定に用いられる。ＣＳＩ−ＲＳで測定した受信電力をＣＳＩ−ＲＳＲＰ、ＣＳＩ−ＲＳで測定した受信品質をＣＳＩ−ＲＳＲＱ、ＣＳＩ−ＲＳで測定したＳＩＮＲをＣＳＩ−ＳＩＮＲとも呼ぶ。なお、ＣＳＩ−ＲＳＲＱは、ＣＳＩ−ＲＳＲＰとＲＳＳＩとの比である。
【００６０】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００６１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６２】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６３】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００６４】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣｅｌｌ）とオプションで１又は複数のＳＣｅｌｌから構成される。
【００６５】
基地局装置は無線フレームを用いて通信することができる。無線フレームは複数のサブフレーム（サブ区間）から構成される。フレーム長を時間で表現する場合、例えば、無線フレーム長は１０ミリ秒（ms）、サブフレーム長は１msとすることができる。この例では無線フレームは１０個のサブフレームで構成される。
【００６６】
またスロットは、１４個のＯＦＤＭシンボルで構成される。ＯＦＤＭシンボル長はサブキャリア間隔によって変わり得るため、サブキャリア間隔でスロット長も代わり得る。またミニスロットは、スロットよりも少ないＯＦＤＭシンボルで構成される。スロット／ミニスロットは、スケジューリング単位になることができる。なお端末装置は、スロットベーススケジューリング／ミニスロットベーススケジューリングは、最初の下りリンクＤＭＲＳの位置（配置）によって知ることができる。スロットベーススケジューリングでは、スロットの３番目又は４番目のシンボルに最初の下りリンクＤＭＲＳが配置される。またミニスロットベーススケジューリングでは、スケジューリングされたデータ（リソース、ＰＤＳＣＨ）の最初のシンボルに最初の下りリンクＤＭＲＳが配置される。
【００６７】
またリソースブロックは、１２個の連続するサブキャリアで定義される。またリソースエレメントは、周波数領域のインデックス（例えばサブキャリアインデックス）と時間領域のインデックス（例えばＯＦＤＭシンボルインデックス）で定義される。リソースエレメントは、上りリンクリソースエレメント、下りリンクエレメント、フレキシブルリソースエレメント、予約されたリソースエレメントとして分類される。予約されたリソースエレメントでは、端末装置は、上りリンク信号を送信しないし、下りリンク信号を受信しない。
【００６８】
また複数のサブキャリア間隔（Subcarrier spacing: SCS）がサポートされる。例えば
ＳＣＳは、１５／３０／６０／１２０／２４０／４８０  ｋＨｚである。
【００６９】
基地局装置／端末装置はライセンスバンド又はアンライセンスバンドで通信することができる。基地局装置／端末装置は、ライセンスバンドがＰＣｅｌｌとなり、アンライセンスバンドで動作する少なくとも１つのＳＣｅｌｌとキャリアアグリゲーションで通信することができる。また、基地局装置／端末装置は、マスターセルグループがライセンスバンドで通信し、セカンダリセルグループがアンライセンスバンドで通信する、デュアルコネクティビティで通信することができる。また、基地局装置／端末装置は、アンライセンスバンドにおいて、ＰＣｅｌｌのみで通信することができる。また、基地局装置／端末装置は、アンライセンスバンドのみでＣＡ又はＤＣで通信することができる。なお、ライセンスバンドがＰＣｅｌｌとなり、アンライセンスバンドのセル（ＳＣｅｌｌ、ＰＳＣｅｌｌ）を、例えばＣＡ、ＤＣなどでアシストして通信することを、ＬＡＡ（Licensed-Assisted Access）とも呼ぶ。また、基地局装置／端末装置がアンライセンスバンドのみで通信することを、アンライセンススタンドアロンアクセス（ＵＬＳＡ；Unlicensed-standalone access）とも呼ぶ。また、基地局装置／端末装置がライセンスバンドのみで通信することを、ライセンスアクセス（ＬＡ；Licensed Access）とも呼ぶ。
【００７０】
図２は、本実施形態における基地局装置の構成を示す概略ブロック図である。図２に示すように、基地局装置は、上位層処理部（上位層処理ステップ）１０１、制御部（制御ステップ）１０２、送信部（送信ステップ）１０３、受信部（受信ステップ）１０４と送受信アンテナ１０５、測定部（測定ステップ）１０６を含んで構成される。また、上位層処
理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００７１】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７２】
上位層処理部１０１は、端末装置の機能（UE capability）等、端末装置に関する情報
を端末装置から受信する。言い換えると、端末装置は、自身の機能を基地局装置に上位層の信号で送信する。
【００７３】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００７４】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００７６】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００７７】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００７８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力
する。
【００７９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２Ａに信号を送信する。
【００８０】
符号化部１０３１は、上位層処理部１０１から入力されたＨＡＲＱインディケータ、下りリンク制御情報、および下りリンクデータを、ブロック符号化、畳み込み符号化、ターボ符号化、ＬＤＰＣ（低密度パリティチェック：Low density parity check）符号化、Polar符号化等の予め定められた符号化方式を用いて符号化を行なう、または無線リソース
制御部１０１１が決定した符号化方式を用いて符号化を行なう。変調部１０３２は、符号化部１０３１から入力された符号化ビットをＢＰＳＫ（Binary Phase Shift Keying）、
ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００８１】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００８２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００８３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００８４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【００８５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００８６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００８７】
多重分離部１０４２は、無線受信部１０４１から入力された信号をＰＵＣＣＨ、ＰＵＳＣＨ、上りリンク参照信号などの信号に分離する。なお、この分離は、予め基地局装置１
Ａが無線リソース制御部１０１１で決定し、各端末装置２Ａに通知した上りリンクグラントに含まれる無線リソースの割り当て情報に基づいて行なわれる。
【００８８】
また、多重分離部１０４２は、ＰＵＣＣＨとＰＵＳＣＨの伝搬路の補償を行なう。また、多重分離部１０４２は、上りリンク参照信号を分離する。
【００８９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２Ａに上りリンクグラントで予め通知した変調方式を用いて受信信号の復調を行なう。
【００９０】
復号部１０４４は、復調されたＰＵＣＣＨとＰＵＳＣＨの符号化ビットを、予め定められた符号化方式の、予め定められた、又は自装置が端末装置２Ａに上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９１】
測定部１０６は、受信信号を観測し、ＲＳＲＰ／ＲＳＲＱ／ＲＳＳＩなどの様々な測定値を求める。また測定部１０６は、端末装置から送信されたＳＲＳから受信電力、受信品質、好適なＳＲＳリソースインデックスを求める。
【００９２】
図３は、本実施形態における端末装置の構成を示す概略ブロック図である。図３に示すように、端末装置は、上位層処理部（上位層処理ステップ）２０１、制御部（制御ステップ）２０２、送信部（送信ステップ）２０３、受信部（受信ステップ）２０４、測定部（測定ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【００９３】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【００９４】
上位層処理部２０１は、自端末装置がサポートしている端末装置の機能を示す情報を、送信部２０３に出力する。
【００９５】
無線リソース制御部２０１１は、自端末装置の各種設定情報の管理をする。また、無線リソース制御部２０１１は、上りリンクの各チャネルに配置される情報を生成し、送信部２０３に出力する。
【００９６】
無線リソース制御部２０１１は、基地局装置から送信された設定情報を取得し、制御部
２０２に出力する。
【００９７】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【００９８】
制御部２０２は、上位層処理部２０１から入力された情報に基づいて、受信部２０４、測定部２０５および送信部２０３の制御を行なう制御信号を生成する。制御部２０２は、生成した制御信号を受信部２０４、測定部２０５および送信部２０３に出力して受信部２０４、および送信部２０３の制御を行なう。
【００９９】
制御部２０２は、測定部２０５が生成したＣＳＩ／ＲＳＲＰ／ＲＳＲＱ／ＲＳＳＩを基地局装置に送信するように送信部２０３を制御する。
【０１００】
受信部２０４は、制御部２０２から入力された制御信号に従って、送受信アンテナ２０６を介して基地局装置から受信した受信信号を、分離、復調、復号し、復号した情報を上位層処理部２０１に出力する。
【０１０１】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０２】
また、無線受信部２０４１は、変換したディジタル信号からＣＰに相当する部分を除去し、ＣＰを除去した信号に対して高速フーリエ変換を行い、周波数領域の信号を抽出する。
【０１０３】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１０４】
信号検出部２０４３は、ＰＤＳＣＨ、チャネル推定値を用いて、信号検出し、上位層処理部２０１に出力する。
【０１０５】
測定部２０５は、ＣＳＩ測定、ＲＲＭ（Radio Resource Management）測定、ＲＬＭ（Radio Link Monitoring）測定などの各種測定を行い、ＣＳＩ／ＲＳＲＰ／ＲＳＲＱ／ＲＳＳＩなどを求める。
【０１０６】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置に送信する。
【０１０７】
符号化部２０３１は、上位層処理部２０１から入力された上りリンク制御情報又は上りリンクデータを畳み込み符号化、ブロック符号化、ターボ符号化、ＬＤＰＣ符号化、Pola
r符号化等の符号化を行う。
【０１０８】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１０９】
上りリンク参照信号生成部２０３３は、基地局装置を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１０】
多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１１１】
無線送信部２０３５は、多重された信号を逆高速フーリエ変換（Inverse Fast Fourier
Transform: IFFT）して、ＯＦＤＭ方式の変調を行い、ＯＦＤＭＡシンボルを生成し、生成されたＯＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１１２】
なお、端末装置はＯＦＤＭＡ方式に限らず、ＳＣ−ＦＤＭＡ方式の変調を行うことができる。
【０１１３】
超高精細映像伝送など、超大容量通信が要求される場合、高周波数帯を活用した超広帯域伝送が望まれる。高周波数帯における伝送は、パスロスを補償することが必要であり、ビームフォーミングが重要となる。また、ある限定されたエリアに複数の端末装置が存在する環境において、各端末装置に対して超大容量通信が要求される場合、基地局装置を高密度に配置した超高密度ネットワーク（Ultra-dense network）が有効である。しかしな
がら、基地局装置を高密度に配置した場合、ＳＮＲ(信号対雑音電力比：Signal to noise
power ratio)は大きく改善するものの、ビームフォーミングによる強い干渉が到来する
可能性がある。従って、限定エリア内のあらゆる端末装置に対して、超大容量通信を実現するためには、ビームフォーミングを考慮した干渉制御（回避、抑圧、除去）、及び／又は、複数の基地局の協調通信が必要となる。
【０１１４】
図４は、本実施形態に係る下りリンクの通信システムの例を示す。図４に示す通信システムは基地局装置３Ａ、基地局装置５Ａ、端末装置４Ａを備える。端末装置４Ａは、基地局装置３Ａ及び／又は基地局装置５Ａをサービングセルとすることができる。また基地局装置３Ａ又は基地局装置５Ａが多数のアンテナを備えている場合、多数のアンテナを複数のサブアレー（パネル、サブパネル）に分けることができ、サブアレー毎に送信／受信ビームフォーミングを適用できる。この場合、各サブアレーは通信装置を備えることができ、通信装置の構成は特に断りがない限り、図２で示した基地局装置構成と同様である。また端末装置４Ａが複数のアンテナを備えている場合、端末装置４Ａはビームフォーミングにより送信又は受信することができる。また、端末装置４Ａが多数のアンテナを備えている場合、多数のアンテナを複数のサブアレー（パネル、サブパネル）に分けることができ、サブアレー毎に異なる送信／受信ビームフォーミングを適用できる。各サブアレーは通信装置を備えることができ、通信装置の構成は特に断りがない限り、図３で示した端末装
置構成と同様である。なお、基地局装置３Ａ、基地局装置５Ａを単に基地局装置とも呼ぶ。なお、端末装置４Ａを単に端末装置とも呼ぶ。
【０１１５】
基地局装置の好適な送信ビーム、端末装置の好適な受信ビームを決定するために、同期信号が用いられる。基地局装置は、ＰＳＳ、ＰＢＣＨ、ＳＳＳで構成される同期信号ブロックを送信する。なお、基地局装置が設定する同期信号ブロックバーストセット周期内で、同期信号ブロックは、時間領域に１又は複数個送信され、各々の同期信号ブロックには、時間インデックスが設定される。端末装置は、同期信号ブロックバーストセット周期内で同じ時間インデックスの同期信号ブロックは、遅延スプレッド、ドップラースプレッド、ドップラーシフト、平均利得、平均遅延、空間的な受信パラメータ、及び／又は空間的な送信パラメータが同じとみなせるような、ある程度同じ位置（quasi co-located: QCL
）から送信されたと見なしてよい。なお、空間的な受信パラメータは、例えば、チャネルの空間相関、到来角（Angle of Arrival）などである。また空間的な送信パラメータは、例えば、チャネルの空間相関、送信角（Angle of Departure）などである。つまり端末装置は、同期信号ブロックバーストセット周期内で同じ時間インデックスの同期信号ブロックは同じ送信ビームで送信され、異なる時間インデックスの同期信号ブロックは異なるビームで送信されたと想定することができる。従って、端末装置が同期信号ブロックバーストセット周期内の好適な同期信号ブロックの時間インデックスを示す情報を基地局装置に報告すれば、基地局装置は端末装置に好適な送信ビームを知ることができる。また、端末装置は、異なる同期信号ブロックバーストセット周期で同じ時間インデックスの同期信号ブロックを用いて端末装置に好適な受信ビームを求めることができる。このため、端末装置は、同期信号ブロックの時間インデックスと受信ビーム方向及び／又はサブアレーを関連付けることができる。なお、端末装置は、複数のサブアレーを備えている場合、異なるセルと接続するときは、異なるサブアレーを用いるとしてもよい。
【０１１６】
また、好適な基地局装置の送信ビームと好適な端末装置の受信ビームを決定するために、ＣＳＩ−ＲＳを用いることができる。基地局装置は、上位層の信号で設定情報を設定することができる。例えば、設定情報は、リソース設定、報告設定の一部又は全部を含む。
【０１１７】
リソース設定は、リソース設定ＩＤ、リソース設定タイプ、及び／又は、１又は複数のＣＳＩ−ＲＳリソースセット設定を含む。リソース設定ＩＤは、リソース設定を特定するために用いられる。リソース設定タイプは、リソース設定の時間領域の動作を示す。具体的には、リソース設定が非周期的（aperiodic）にＣＳＩ−ＲＳを送信する設定、周期的
（periodic）にＣＳＩ−ＲＳを送信する設定、又は半永続的（semi-persistent）にＣＳ
Ｉ−ＲＳを送信する設定であるかを示す。ＣＳＩ−ＲＳリソースセット設定は、ＣＳＩ−ＲＳリソースセット設定ＩＤ、及び／又は、１又は複数のＣＳＩ−ＲＳリソース設定を含む。ＣＳＩ−ＲＳリソースセット設定ＩＤは、ＣＳＩ−ＲＳリソースセット設定を特定するために用いられる。ＣＳＩ−ＲＳリソース設定は、ＣＳＩ−ＲＳリソース設定ＩＤ、リソース設定タイプ、アンテナポート数、ＣＳＩ−ＲＳリソースマッピング、ＣＳＩ−ＲＳとＰＤＳＣＨの電力オフセットの一部又は全部を含む。ＣＳＩ−ＲＳリソース設定ＩＤは、ＣＳＩ−ＲＳリソース設定を特定するために用いられ、ＣＳＩ−ＲＳリソース設定ＩＤでＣＳＩ−ＲＳリソースが関連付けられる。ＣＳＩ−ＲＳリソースマッピングは、スロット内のＣＳＩ−ＲＳが配置されるリソースエレメント（ＯＦＤＭシンボル、サブキャリア）を示す。
【０１１８】
リソース設定は、ＣＳＩ測定又はＲＲＭ測定に用いられる。端末装置は、設定されたリソースでＣＳＩ−ＲＳを受信し、ＣＳＩ−ＲＳからＣＳＩを算出し、基地局装置に報告する。また、ＣＳＩ−ＲＳリソースセット設定が複数のＣＳＩ−ＲＳリソース設定を含む場合、端末装置は、各々のＣＳＩ−ＲＳリソースで同じ受信ビームでＣＳＩ−ＲＳを受信し、ＣＲＩを計算する。例えば、ＣＳＩ−ＲＳリソースセット設定がＫ（Ｋは２以上の整数
）個のＣＳＩ−ＲＳリソース設定を含む場合、ＣＲＩはＫ個のＣＳＩ−ＲＳリソースから好適なＮ個のＣＳＩ−ＲＳリソースを示す。ただし、ＮはＫ未満の正の整数である。またＣＲＩが複数のＣＳＩ−ＲＳリソースを示す場合、どのＣＳＩ−ＲＳリソースの品質が良いかを示すために、端末装置は各ＣＳＩ−ＲＳリソースで測定したＣＳＩ−ＲＳＲＰを基地局装置に報告することができる。基地局装置は、複数設定したＣＳＩ−ＲＳリソースで各々異なるビーム方向でＣＳＩ−ＲＳをビームフォーミング（プリコーディング）して送信すれば、端末装置から報告されたＣＲＩにより端末装置に好適な基地局装置の送信ビーム方向を知ることができる。一方、好適な端末装置の受信ビーム方向は、基地局装置の送信ビームが固定されたＣＳＩ−ＲＳリソースを用いて決定できる。例えば、基地局装置は、あるＣＳＩ−ＲＳリソースに対して、基地局装置の送信ビームが固定されているか否かを示す情報、及び／又は、送信ビームが固定されている期間を送信する。端末装置は、送信ビームが固定されているＣＳＩ−ＲＳリソースにおいて、各々異なる受信ビーム方向で受信したＣＳＩ−ＲＳから好適な受信ビーム方向を求めることができる。なお、端末装置は、好適な受信ビーム方向を決定した後、ＣＳＩ−ＲＳＲＰを報告してもよい。なお、端末装置が複数のサブアレーを備えている場合、端末装置は、好適な受信ビーム方向を求める際に、好適なサブアレーを選択することができる。なお、端末装置の好適な受信ビーム方向は、ＣＲＩと関連付けられても良い。また端末装置が複数のＣＲＩを報告した場合、基地局装置は、各ＣＲＩと関連付けられたＣＳＩ−ＲＳリソースで送信ビームを固定することができる。このとき、端末装置は、ＣＲＩ毎に、好適な受信ビーム方向を決定することができる。例えば、基地局装置は下りリンク信号／チャネルとＣＲＩを関連付けて送信することができる。このとき、端末装置は、ＣＲＩと関連付けられた受信ビームで受信しなければならない。また、設定された複数のＣＳＩ−ＲＳリソースにおいて、異なる基地局装置がＣＳＩ−ＲＳを送信することができる。この場合、ＣＲＩによりどの基地局装置からの通信品質が良いかをネットワーク側が知ることができる。また、端末装置が複数のサブアレーを備えている場合、同じタイミングで複数のサブアレーで受信することができる。従って、基地局装置が下りリンク制御情報などで複数レイヤ（コードワード、トランスポートブロック）の各々にＣＲＩを関連付けて送信すれば、端末装置は、各ＣＲＩに対応するサブアレー、受信ビームを用いて、複数レイヤを受信することができる。ただし、アナログビームを用いる場合、１つのサブアレーで同じタイミングで用いられる受信ビーム方向が１つであるとき、端末装置の１つのサブアレーに対応する２つのＣＲＩが同時に設定された場合に、端末装置は複数の受信ビームで受信することができない可能性がある。この問題を回避するために、例えば、基地局装置は設定した複数のＣＳＩ−ＲＳリソースをグループ分けし、グループ内は、同じサブアレーを用いてＣＲＩを求める。またグループ間で異なるサブアレーを用いれば、基地局装置は同じタイミングで設定することができる複数のＣＲＩを知ることができる。なお、ＣＳＩ−ＲＳリソースのグループは、ＣＳＩ−ＲＳリソースセットでもよい。なお、同じタイミングで設定できるＣＲＩをＱＣＬであるとしてもよい。このとき、端末装置は、ＱＣＬ情報と関連付けてＣＲＩを送信することができる。例えば、端末装置は、ＱＣＬであるＣＲＩとＱＣＬではないＣＲＩを区別して報告すれば、基地局装置はＱＣＬであるＣＲＩは同じタイミングに設定せず、ＱＣＬではないＣＲＩは同じタイミングに設定する、ことができる。また、基地局装置は、端末装置のサブアレー毎にＣＳＩを要求してもよい。この場合、端末装置は、サブアレー毎にＣＳＩを報告する。なお、端末装置は複数のＣＲＩを基地局装置に報告する場合、ＱＣＬでないＣＲＩのみを報告しても良い。
【０１１９】
報告設定は、ＣＳＩ報告に関する設定であり、報告設定ＩＤ、報告設定タイプ、及び／又は報告値（量）を含む。報告設定ＩＤは、報告設定を特定するために用いられる。報告値（量）は報告するＣＳＩ値（量）である。報告設定タイプは、報告設定が、非周期的（aperiodic）にＣＳＩ値（量）を報告する設定、周期的（periodic）にＣＳＩ値（量）を
報告する設定、又は半永続的（semi-persistent）にＣＳＩ値（量）を報告する設定であ
る。
【０１２０】
また、好適な基地局装置の送信ビームを決定するために、所定のプリコーディング（ビームフォーミング）行列（ベクトル）の候補が規定されたコードブックが用いられる。基地局装置はＣＳＩ−ＲＳを送信し、端末装置はコードブックの中から好適なプリコーディング（ビームフォーミング）行列を求め、ＰＭＩとして基地局装置に報告する。これにより、基地局装置は、端末装置にとって好適な送信ビーム方向を知ることができる。なお、コードブックにはアンテナポートを合成するプリコーディング（ビームフォーミング）行列と、アンテナポートを選択するプリコーディング（ビームフォーミング）行列がある。アンテナポートを選択するコードブックを用いる場合、基地局装置はアンテナポート毎に異なる送信ビーム方向を用いることができる。従って、端末装置がＰＭＩとして好適なアンテナポートを報告すれば、基地局装置は好適な送信ビーム方向を知ることができる。なお、端末装置の好適な受信ビームは、ＣＲＩに関連付けられた受信ビーム方向でもよいし、再度好適な受信ビーム方向を決定しても良い。アンテナポートを選択するコードブックを用いる場合に、端末装置の好適な受信ビーム方向がＣＲＩに関連付けられた受信ビーム方向とする場合、ＣＳＩ−ＲＳを受信する受信ビーム方向はＣＲＩに関連付けられた受信ビーム方向で受信することが望ましい。なお、端末装置は、ＣＲＩに関連付けられた受信ビーム方向を用いる場合でも、ＰＭＩと受信ビーム方向を関連付けることができる。また、アンテナポートを選択するコードブックを用いる場合、各々のアンテナポートは異なる基地局装置（セル）から送信されても良い。この場合、端末装置がＰＭＩを報告すれば、基地局装置はどの基地局装置（セル）との通信品質が好適かを知ることができる。なお、この場合、異なる基地局装置（セル）のアンテナポートはＱＣＬではないとすることができる。
【０１２１】
端末装置４Ａは、サービングセルに加え、隣接セルからの干渉信号（隣接セル干渉）を受信する可能性がある。干渉信号は、隣接セルのＰＤＳＣＨ、ＰＤＣＣＨ、又は参照信号である。この場合、端末装置における干渉信号の除去又は抑圧が有効である。干渉信号を除去又は抑圧する方式として、干渉信号のチャネルを推定して線形ウェイトにより抑圧するＥ−ＭＭＳＥ（Enhanced - Minimum Mean Square Error）、干渉信号のレプリカを生成して除去する干渉キャンセラ、所望信号と干渉信号の送信信号候補を全探索して所望信号を検出するＭＬＤ（Maximum Likelihood Detection）、送信信号候補を削減してＭＬＤよりも低演算量にしたＲ−ＭＬＤ（Reduced complexity - MLD）などが適用できる。これらの方式を適用するためには、干渉信号のチャネル推定、干渉信号の復調、又は干渉信号の復号が必要となる。そのため、効率的に干渉信号を除去又は抑圧するために、端末装置は干渉信号（隣接セル）のパラメータを知る必要がある。そこで、基地局装置は、端末装置による干渉信号の除去又は抑圧を支援するために、干渉信号（隣接セル）のパラメータを含むアシスト情報を端末装置に送信（設定）することができる。アシスト情報は１又は複数設定される。アシスト情報は、例えば、物理セルＩＤ、仮想セルＩＤ、参照信号とＰＤＳＣＨの電力比（電力オフセット）、参照信号のスクランブリングアイデンティティ、ＱＣＬ情報（quasi co-location information）、ＣＳＩ−ＲＳリソース設定、ＣＳＩ−Ｒ
Ｓアンテナポート数、サブキャリア間隔、リソース割当て粒度、リソース割当て情報、ＤＭＲＳ設定、ＤＭＲＳアンテナポート番号、レイヤ数、ＴＤＤ  ＤＬ／ＵＬ構成、ＰＭＩ、ＲＩ、変調方式、ＭＣＳ（Modulation and coding scheme）の一部又は全部を含む。なお、仮想セルＩＤはセルに仮想的に割当てられたＩＤであり、物理セルＩＤは同じで仮想セルＩＤは異なるセルがあり得る。ＱＣＬ情報は、所定のアンテナポート、所定の信号、又は所定のチャネルに対するＱＣＬに関する情報である。２つのアンテナポートにおいて、一方のアンテナポート上のシンボルが搬送されるチャネルの長区間特性が、もう一方のアンテナポート上のシンボルが搬送されるチャネルから推測できる場合、それらのアンテナポートはＱＣＬであると呼称される。長区間特性は、遅延スプレッド、ドップラースプレッド、ドップラーシフト、平均利得、平均遅延、空間的な受信パラメータ、及び／又は空間的な送信パラメータを含む。すなわち、２つのアンテナポートがＱＣＬである場合、
端末装置はそれらのアンテナポートにおける長区間特性が同じであると見なすことができる。サブキャリア間隔は、干渉信号のサブキャリア間隔、又はそのバンドで使用する可能性のあるサブキャリア間隔の候補を示す。なお、アシスト情報に含まれるサブキャリア間隔とサービングセルとの通信で用いるサブキャリア間隔が異なる場合は、端末装置は干渉信号を除去又は抑圧しなくてもよい。そのバンドで使用する可能性のあるサブキャリア間隔の候補は、通常用いられるサブキャリア間隔を示しても良い。例えば、通常用いられるサブキャリア間隔には、高信頼・低遅延通信（緊急通信）に用いられるような低頻度のサブキャリア間隔は含まなくても良い。リソース割当て粒度は、プリコーディング（ビームフォーミング）が変わらないリソースブロック数を示す。ＤＭＲＳ設定は、ＰＤＳＣＨマッピングタイプ、ＤＭＲＳの追加配置を示す。ＰＤＳＣＨマッピングタイプによってＤＭＲＳリソース割当ては変わる。例えば、ＰＤＳＣＨマッピングタイプＡは、スロットの第３シンボルにＤＭＲＳはマッピングされる。また、例えば、ＰＤＳＣＨマッピングタイプＢは割当てられたＰＤＳＣＨリソースの最初のＯＦＤＭシンボルにマッピングされる。ＤＭＲＳの追加配置は、追加のＤＭＲＳ配置があるか否か、又は追加される配置を示す。なお、アシスト情報に含まれる一部又は全部のパラメータは上位層の信号で送信（設定）される。また、アシスト情報に含まれる一部又は全部のパラメータは下りリンク制御情報で送信される。また、アシスト情報に含まれる各々のパラメータが複数の候補を示す場合、端末装置は候補の中から好適なものをブラインド検出する。また、アシスト情報に含まれないパラメータは、端末装置がブラインド検出する。
【０１２２】
端末装置は複数の受信ビーム方向を用いて通信する場合、受信ビーム方向によって、周囲の干渉状況は大きく変化する。例えば、ある受信ビーム方向では強かった干渉信号が別の受信ビーム方向では弱くなることがあり得る。強い干渉になる可能性が低いセルのアシスト情報は、意味がないだけではなく、強い干渉信号を受信しているか否かを判断する際に無駄な計算をしてしまう可能性がある。従って、上記アシスト情報は受信ビーム方向ごとに設定されることが望ましい。ただし、基地局装置は端末装置の受信方向を必ずしも知らないため、受信ビーム方向に関連する情報とアシスト情報を関連付ければよい。例えば、端末装置は、ＣＲＩと受信ビーム方向を関連付けることができるため、基地局装置はＣＲＩ毎に１又は複数のアシスト情報を送信（設定）することができる。また、端末装置は同期信号ブロックの時間インデックスと受信ビーム方向を関連付けることができるため、基地局装置は、同期信号ブロックの時間インデックスごとに１又は複数のアシスト情報を送信（設定）することができる。また、端末装置は、ＰＭＩ（アンテナポート番号）と受信ビーム方向を関連付けることができるため、基地局装置はＰＭＩ（アンテナポート番号）毎に１又は複数のアシスト情報を送信（設定）することができる。また、端末装置が複数のサブアレーを備える場合、サブアレー毎に受信ビーム方向が変わる可能性が高いため、基地局装置は端末装置のサブアレーと関連するインデックス毎に１又は複数のアシスト情報を送信（設定）することができる。また、複数の基地局装置（送受信ポイント）と端末装置が通信する場合、端末装置は各々の基地局装置（送受信ポイント）と異なる受信ビーム方向で通信する可能性が高い。そのため、基地局装置は、基地局装置（送受信ポイント）を示す情報ごとに１又は複数のアシスト情報を送信（設定）する。基地局装置（送受信ポイント）を示す情報は、物理セルＩＤ又は仮想セルＩＤとしてもよい。また、基地局装置（送受信ポイント）で異なるＤＭＲＳアンテナポート番号を用いる場合、ＤＭＲＳアンテナポート番号やＤＭＲＳアンテナグループを示す情報が基地局装置（送受信ポイント）を示す情報となる。
【０１２３】
なお、基地局装置がＣＲＩ毎に設定するアシスト情報の数は、共通とすることができる。ここで、アシスト情報の数は、アシスト情報の種類や、各アシスト情報の要素数（例えば、セルＩＤの候補数）等を指す。また、基地局装置がＣＲＩ毎に設定するアシスト情報の数は、最大値が設定され、基地局装置は該最大値の範囲内で該アシスト情報を各ＣＲＩに設定することができる。
【０１２４】
なお、端末装置の受信ビーム方向が変わる場合、送信アンテナはＱＣＬではない可能性が高い。従って、上記アシスト情報はＱＣＬ情報と関連付けることができる。例えば、基地局装置が複数セルのアシスト情報を送信（設定）した場合、ＱＣＬであるセル（又はＱＣＬでないセル）を端末装置に指示することができる。
【０１２５】
なお、端末装置はサービングセルとの通信に用いるＣＲＩと関連付けられているアシスト情報を用いて、干渉信号を除去又は抑圧する。
【０１２６】
また基地局装置は、受信ビーム方向（ＣＲＩ／同期信号ブロックの時間インデックス／ＰＭＩ／アンテナポート番号／サブアレー）に関連付けられたアシスト情報と、受信ビーム方向（ＣＲＩ／同期信号ブロックの時間インデックス／ＰＭＩ／アンテナポート番号／サブアレー）に関連付けられないアシスト情報を設定しても良い。また、受信ビーム方向に関連付けられたアシスト情報と、受信ビーム方向に関連付けられないアシスト情報は、端末装置のケーパビリティやカテゴリで選択的に用いられても良い。端末装置のケーパビリティやカテゴリは、端末装置が受信ビームフォーミングをサポートしているか否かを示しても良い。また、受信ビーム方向に関連付けられたアシスト情報と、受信ビーム方向に関連付けられないアシスト情報は、周波数バンドで選択的に用いられても良い。例えば、基地局装置は、６ＧＨｚよりも低い周波数では、受信ビーム方向に関連付けられたアシスト情報を設定しない。また、例えば、基地局装置は、６ＧＨｚよりも高い周波数でのみ受信ビーム方向に関連付けられたアシスト情報を設定する。
【０１２７】
なお、ＣＲＩはＣＳＩリソースセット設定ＩＤと関連付けられても良い。基地局装置は、ＣＲＩを端末装置に指示する場合、ＣＳＩリソースセット設定ＩＤと共にＣＲＩを指示してもよい。なお、ＣＳＩリソースセット設定ＩＤが１つのＣＲＩ又は１つの受信ビーム方向と関連付けられる場合、基地局装置はＣＳＩリソースセット設定ＩＤ毎にアシスト情報を設定してもよい。
【０１２８】
基地局装置は、端末装置の受信ビーム方向に関連する隣接セルを知るために、端末装置に隣接セル測定を要求する。隣接セル測定要求は、端末装置の受信ビーム方向に関連する情報とセルＩＤを含む。端末装置は、隣接セル測定要求を受信した場合、隣接セルのＲＳＲＰ／ＲＳＲＱ／ＲＳＳＩを測定し、端末装置の受信ビーム方向に関連する情報と共に基地局装置に報告する。なお、端末装置の受信ビーム方向に関連する情報は、ＣＲＩ、同期信号ブロックの時間インデックス、端末装置のサブアレー、又は基地局装置（送受信ポイント）を示す情報である。
【０１２９】
また、端末装置が移動する場合、周囲の環境は時々刻々と変わる可能性がある。従って、端末装置は、所定のタイミングで周囲のチャネル状況、干渉状況などを観測し、基地局装置に報告することが望ましい。報告結果は、定期的な報告かイベントによる報告で報告される。定期的な報告の場合、端末装置は、定期的に同期信号又はＣＳＩ−ＲＳによるＲＳＲＰ／ＲＳＲＱを測定して報告する。イベントによる報告の場合、イベントＩＤと報告に係る条件が関連付けられる。イベントＩＤは、例えば、次のようなものがあり、条件の計算に必要な閾値（必要な場合は、閾値１、閾値２）やオフセット値も設定される。
イベントＡ１：サービングセルの測定結果が設定された閾値よりも良くなった場合。
イベントＡ２：サービングセルの測定結果が設定された閾値よりも悪くなった場合。
イベントＡ３：隣接セルの測定結果がＰＣｅｌｌ／ＰＳＣｅｌｌの測定結果よりも設定されたオフセット値以上に良くなった場合。
イベントＡ４：隣接セルの測定結果が設定された閾値よりも良くなった場合。
イベントＡ５：ＰＣｅｌｌ／ＰＳＣｅｌｌの測定結果が設定された閾値１よりも悪くなり、隣接セルの測定結果が設定された閾値２よりも良くなった場合。
イベントＡ６：隣接セルの測定結果がＳＣｅｌｌの測定結果よりも設定されたオフセット値以上に良くなった場合。
イベントＣ１：ＣＳＩ−ＲＳリソースでの測定結果が、設定された閾値よりも良くなった場合。
イベントＣ２：ＣＳＩ−ＲＳリソースでの測定結果が、設定された参照ＣＳＩ−ＲＳリソースでの測定結果よりもオフセット量以上に良くなった場合。
イベントＤ１：ＣＲＩとは異なるＣＳＩ−ＲＳリソースの測定結果が設定された閾値よりも良くなった場合。
イベントＤ２：ＣＲＩと関連するＣＳＩ−ＲＳリソースの測定結果が設定された閾値よりも悪くなった場合。
イベントＤ３：ＣＲＩと関連していない受信ビーム方向の測定結果が設定された閾値よりも良くなった場合。
イベントＤ４：同期に用いているＳＳブロックインデックスの測定結果が設定された閾値よりも悪くなった場合。
イベントＤ５：同期に用いていないＳＳブロックインデックスの測定結果が設定された閾値よりも悪くなった場合。
イベントＥ１：基地局装置がビームを決定してから経過した時間が、閾値を超えた場合。イベントＥ２：端末装置がビームを決定してから経過した時間が、閾値を超えた場合。
【０１３０】
端末装置は、報告設定に基づいて報告する場合、測定結果として、ＳＳ−ＲＳＲＰ／ＳＳ−ＲＳＲＱ／ＣＳＩ−ＲＳＲＰ／ＣＳＩ−ＲＳＲＱ／ＲＳＳＩを報告する。
【０１３１】
図５は、本実施形態に係る上りリンクの通信システムの例を示す。図５に示す通信システムは、基地局装置７Ａ、基地局装置９Ａ、端末装置６Ａを備える。端末装置６Ａは、基地局装置７Ａ及び／又は基地局装置９Ａをサービングセルとすることができる。また基地局装置７Ａ又は基地局装置９Ａが多数のアンテナを備えている場合、多数のアンテナを複数のサブアレー（パネル、サブパネル）に分けることができ、サブアレー毎に送信／受信ビームフォーミングを適用できる。この場合、各サブアレーは通信装置を備えることができ、通信装置の構成は特に断りがない限り、図２で示した基地局装置構成と同様である。また端末装置６Ａが複数のアンテナを備えている場合、端末装置６Ａはビームフォーミングにより送信又は受信することができる。また、端末装置６Ａが多数のアンテナを備えている場合、多数のアンテナを複数のサブアレー（パネル、サブパネル）に分けることができ、サブアレー毎に異なる送信／受信ビームフォーミングを適用できる。各サブアレーは通信装置を備えることができ、通信装置の構成は特に断りがない限り、図３で示した端末装置構成と同様である。なお、基地局装置７Ａ、基地局装置９Ａを単に基地局装置とも呼ぶ。なお、端末装置６Ａを単に端末装置とも呼ぶ。
【０１３２】
上りリンクにおいて、端末装置の好適な送信ビームと基地局装置の好適な受信ビームを決定するために、ＳＲＳが用いられる。基地局装置は上位層の信号でＳＲＳに関する設定情報を送信（設定）することができる。設定情報は、１又は複数のＳＲＳリソースセット設定を含む。ＳＲＳリソースセット設定は、ＳＲＳリソースセット設定ＩＤ、及び／又は、１又は複数のＳＲＳリソース設定、を含む。ＳＲＳリソースセット設定ＩＤは、ＳＲＳリソースセット設定を特定するために用いられる。ＳＲＳリソース設定は、ＳＲＳリソース設定ＩＤ、ＳＲＳアンテナポート数、ＳＲＳ送信コーム（Comb）、ＳＲＳリソースマッピング、ＳＲＳ周波数ホッピング、ＳＲＳリソース設定タイプ、を含む。ＳＲＳリソース設定ＩＤは、ＳＲＳリソース設定を特定するために用いられる。ＳＲＳ送信コームは、櫛の歯状スペクトルの周波数間隔及び周波数間隔内の位置（オフセット）を示す。ＳＲＳリソースマッピングは、スロット内でＳＲＳが配置されるＯＦＤＭシンボル位置及びＯＦＤＭシンボル数を示す。ＳＲＳ周波数ホッピングは、ＳＲＳの周波数ホッピングを示す情報である。ＳＲＳリソース設定タイプは、ＳＲＳリソース設定の時間領域での動作を示す。
具体的には、ＳＲＳリソース設定が非周期的（aperiodic）にＳＲＳを送信する設定、周
期的（periodic）にＳＲＳを送信する設定、又は半永続的（semi-persistent）にＳＲＳ
を送信する設定であるかを示す。
【０１３３】
端末装置は、複数のＳＲＳリソースが設定された場合、各々のＳＲＳリソースで異なる送信ビーム方向で送信すれば、基地局装置は好適なＳＲＳリソースを判定できる。基地局装置は、そのＳＲＳリソースを示す情報であるＳＲＳリソース指標（SRS Resource Indicator: SRI）を端末装置に送信（指示）すれば、端末装置はそのＳＲＳリソースで送信し
た送信ビーム方向が好適であると知ることができる。なお、基地局装置は、基地局装置の好適な受信ビームを求めるために、所定の期間同じ送信ビームで送信することを端末装置に要求することができる。端末装置は、基地局装置からの要求に従い、指示された期間、指示されたＳＲＳリソースで、指示されたＳＲＩで送信したものと同じ送信ビーム方向で送信する。
【０１３４】
端末装置は、複数のサブアレーを備えている場合、複数の基地局装置（送受信ポイント）と通信することができる。図５の例では、端末装置６Ａは、基地局装置７Ａ及び基地局装置９Ａをサービングセルとすることができる。この場合、端末装置６Ａにとって、基地局装置７Ａとの通信に好適な送信ビーム方向と基地局装置９Ａとの通信に好適な送信ビーム方向は異なる可能性が高い。従って、端末装置６Ａは異なるサブアレーで各々異なる送信ビーム方向で送信すれば、同じタイミングで基地局装置７Ａと基地局装置９Ａと通信することができる。
【０１３５】
端末装置は、あるＳＲＳリソースにおいて、複数アンテナポートでＳＲＳを送信する場合、各々のアンテナポートで異なる送信ビーム方向を用いることができる。この場合、基地局装置は好適なアンテナポート番号での送信を端末装置に指示すれば、端末装置は好適な送信ビーム方向を知ることができる。なお、基地局装置は、アンテナポートを選択するコードブックを用いて、端末装置に送信ＰＭＩ（ＴＰＭＩ）を指示することもできる。基地局装置は、どのコードブックを参照するかを端末装置に指示することができる。端末装置は、指示されたコードブックを参照して、ＴＰＭＩで示されたアンテナポート番号に対応する送信ビーム方向を用いることができる。
【０１３６】
端末装置は、複数のサブアレーを備える場合で、複数のサブアレーで同じタイミングで送信できる場合、サブアレー間で異なるアンテナポート番号を付けることができる。このとき、端末装置がサブアレーの異なるアンテナポートから送信ビームを用いてＳＲＳを送信し、基地局装置からＴＰＭＩを受信すれば、端末装置は好適なサブアレー及び送信ビーム方向を知ることができる。従って、端末装置は、ＴＰＭＩとサブアレー及び送信ビーム方向を関連付けることができる。
【０１３７】
なお、端末装置が複数の基地局装置（送受信ポイント）と通信する場合、各々の基地局装置（送受信ポイント）に対して同じ信号（データ）を送信することができるし、異なる信号（データ）を送信することができる。端末装置が同じ信号（データ）を用いて複数の基地局装置（送受信ポイント）と通信する場合、複数の基地局装置（送受信ポイント）で受信した信号は、合成することで受信品質を向上させることができるため、複数の基地局装置（送受信ポイント）で協調して受信処理をすることが望ましい。
【０１３８】
基地局装置はＰＵＳＣＨのスケジューリングのためにＤＣＩを用いることができる。端末装置が複数の基地局装置と通信する場合、各基地局装置がＰＵＳＣＨのスケジューリングのためのＤＣＩを送信することができる。ＤＣＩは、ＳＲＩ及び／又はＴＰＭＩを含み、端末装置はその基地局装置にとって好適な送信ビームを知ることができる。また、端末装置が複数の基地局装置と通信する場合、１つの基地局装置からのＤＣＩで複数の基地局
装置にＰＵＳＣＨを送信することができる。例えば、ＤＣＩは複数レイヤ（コードワード、トランスポートブロック）に対する制御情報が含まれていて、各レイヤに対してＳＲＩ及び／又はＴＰＭＩが指示（設定）されている場合、各レイヤは各基地局装置に好適な送信ビームで送信される。これにより、端末装置は、１つのＤＣＩを受信した場合に、複数の基地局装置に対して、異なる信号（データ）を送信することができる。また、ＤＣＩは１レイヤの制御情報が含まれていて、１レイヤに対して複数のＳＲＩ及び／又はＴＰＭＩが指示（設定）されている場合、端末装置は異なる送信ビームを用いて１レイヤ（同じデータ）を送信する。これにより、端末装置は、１つのＤＣＩを受信した場合に、複数の基地局装置に対して、同じ信号（データ）を送信することができる。
【０１３９】
端末装置が複数の基地局装置に対して、同じタイミングで送信する場合、各基地局装置は端末装置との間の通信品質を同じタイミングで知ることが望ましい。このため、基地局装置は、１つのＤＣＩで複数のＳＲＩ及び各々のＳＲＩに対応するＳＲＳリソースを指示（トリガ）することができる。つまり、端末装置は、同じタイミングで各々のＳＲＩに対応する送信ビーム方向でＳＲＳを送信すれば、各基地局装置は同じタイミングで端末装置との間の通信品質を知ることができる。
【０１４０】
端末装置が備えるサブアレーが、同じタイミングで１つの送信ビーム方向のみを用いられる場合、複数の基地局装置に対して異なるサブアレーで同じタイミングで送信する。このとき、基地局装置から１つのＤＣＩで２つのＳＲＩが指示（設定）されたとき、２つのＳＲＩが同じサブアレーに関連付けられている場合、端末装置は同じタイミングで２つのＳＲＩに対応する送信が実行できない可能性がある。この問題を回避するために、例えば、基地局装置は複数のＳＲＳリソースをグループ分けして設定し、グループ内は、同じサブアレーを用いてＳＲＳを送信するように端末装置に要求することができる。またグループ間で異なるサブアレーを用いれば、基地局装置は同じタイミングで設定することができる複数のＳＲＩを知ることができる。なお、ＳＲＳリソースのグループは、ＳＲＳリソースセットでもよい。なお、同じタイミングで設定できるＳＲＳ（ＳＲＳリソース）はＱＣＬではないとしてもよい。このとき、端末装置は、ＱＣＬ情報と関連付けてＳＲＳを送信することができる。例えば、端末装置は、ＱＣＬであるＳＲＳとＱＣＬではないＳＲＳを区別して送信すれば、基地局装置はＱＣＬであるＳＲＩは同じタイミングに設定せず、ＱＣＬではないＳＲＩは同じタイミングに設定する、ことができる。また、基地局装置は、端末装置のサブアレー毎にＳＲＳを要求してもよい。この場合、端末装置は、サブアレー毎にＳＲＳを送信する。
【０１４１】
なお、端末装置は、基地局装置より同じタイミングで送信することが出来ない２つのＳＲＩが指示された場合、端末装置は、基地局装置に対して、再び送信ビーム選択を行なうビームリカバリの手続きを要求することができる。該ビームリカバリ手続きは、端末装置が基地局装置との間で送受信ビームのトラッキングが外れてしまい、通信品質が著しく低下した場合に行われる手続きであり、端末装置は、予め新たな接続先（基地局装置の送信ビーム）を取得している必要がある。本実施形態に係る端末装置は、送信ビーム自体は確保している状態であるが、同じタイミングで送信することが出来ない２つのＳＲＩが設定されている状態を解消するために、ビームリカバリの手続きを用いることができる。  
【０１４２】
本実施形態に係る端末装置は、独立なビームフォーミングが設定された複数のアンテナ（アンテナパネル）を備えることができる。本実施形態に係る端末装置は、複数のアンテナパネルを用いることができる。当然、端末装置は、該複数のアンテナパネルを切り替えて用いることができるが、アンテナパネルの選択を適切に行わない場合、特に高周波伝送においては、伝送品質が著しく低下してしまう。そこで、端末装置は該アンテナに設定されるビームフォーミングを選択するために、基地局装置との間でビーム走査（探査）を行なうことができる。本実施形態に係る端末装置は、該ビーム走査を行なうために、ＳＲＳ
を送信することができる。
【０１４３】
端末装置は、ＳＲＳを所定のリソース（ＳＲＳリソース）で送信することができる。端末装置は、ＳＲＳリソースの複数の候補（ＳＲＳリソースセット）を基地局装置より予め複数設定されることができる。端末装置は、該複数のＳＲＳリソースセットが送信するＳＲＳについて、それぞれ異なるビームフォーミングを設定して送信することができる。基地局装置は、端末装置より送信された複数のＳＲＳの品質を測定し、最も好適なＳＲＳ（例えば、基地局装置が受信した複数のＳＲＳの中で最も受信品質が良好なＳＲＳ）が送信されたＳＲＳリソースを取得することができる。基地局装置は、該ＳＲＳリソースを示す情報（ＳＲＩ）を端末装置に通知することができる。端末装置は、該ＳＲＩを取得することによって、該基地局装置に対して、最も好適なビームフォーミングを認識することが可能となる。
【０１４４】
基地局装置は、端末装置に通知する複数のＳＲＳリソースについて、予め所定の属性（特性）を与えることができる。所定の属性として、例えば、基地局装置は、第１のＳＲＳリソースと、第２のＳＲＳリソースとが、空間的に同じパラメータ（例えば同じビーム方向、同じアンテナパネル、同じサブアレー）を備えるアンテナから送信されているか否かを示すことができる。具体的には、基地局装置は、第１のＳＲＳリソースと、第２のＳＲＳリソースにおいて、端末装置がそれぞれＳＲＳを同じアンテナパネル（サブアレー）から送信するか、違うアンテナパネルから送信するかを示す情報を通知することができる。また、基地局装置は、第１のＳＲＳリソースと、第２のＳＲＳリソースとが、同じ空間パラメータを備えているアンテナポートから送信されているか否かを示す情報を通知することができる。また、基地局装置は、端末装置に複数のＳＲＳリソースの設定情報を設定している場合に、それぞれのＳＲＳリソースの設定情報が含むＳＲＳリソースが、それぞれ同じアンテナパネル（サブアレー）から送信されるか否かを示す情報を通知することができる。つまり、端末装置は第１のＳＲＳリソースの設定情報に含まれる第１のＳＲＳリソースと、第２のＳＲＳリソースの設定情報に含まれる第２のＳＲＳリソースから、それぞれ第１のＳＲＳと第２のＳＲＳを送信する場合、第１のＳＲＳリソースと、第２のＳＲＳリソースとが、空間パラメータについてＱＣＬであると通知されている場合、端末装置は、第１のＳＲＳと第２のＳＲＳを、それぞれ同じアンテナパネル（サブアレー）から送信することができる。また、端末装置は、第１のＳＲＳリソースと、第２のＳＲＳリソースとが、空間パラメータについてＱＣＬではないと通知されている場合、端末装置は、第１のＳＲＳと第２のＳＲＳを、それぞれ異なるアンテナパネルから送信することができる。
【０１４５】
端末装置は、ＳＲＳリソースの設定を示すＳＲＳリソース設定情報を複数取得することができる。端末装置は、ＳＲＳリソース設定情報に基づいて、ＳＲＳリソースセット、もしくはＳＲＳリソースを取得し、該ＳＲＳリソースに基づいて、ＳＲＳおよびＰＵＳＣＨを送信する。例えば、端末装置は、ＤＣＩからＳＲＩを取得し、該ＳＲＩが示すＳＲＳリソースから送信したＳＲＳに設定した送信ビームおよびＳＲＳを送信する際に用いたサブアレーを用いて、ＰＵＳＣＨを送信する。このとき、端末装置は、ＳＲＳリソース設定情報が複数設定されている場合、該ＳＲＩが、いずれのＳＲＳリソース設定情報に関連付けられていることが分からないと、ＰＵＳＣＨを送信する際に選択するサブアレーを適切に選択することができない。そこで、本実施形態に係る端末装置は、該ＤＣＩから、該ＰＵＳＣＨに対して、複数のＳＲＳリソースセット設定情報のうち、何れか１つのみが関連付けられているのか、もしくは複数のＳＲＳリソースセット設定情報（例えば２つのＳＲＳリソースセット設定情報）が関連付けられているかを示す情報を取得することができる。
【０１４６】
基地局装置は、複数のＳＲＳリソースを、予め第１のＳＲＳリソースセット群と、第２のＳＲＳリソースセット群とに分類しておくことができる。基地局装置は、端末装置に対して設定したＳＲＳリソースが、第１のＳＲＳリソースセット群に含まれているか、第２
のＳＲＳリソースセット群に含まれているかを、予め通知しておくことができる。端末装置は、例えば、２つのアンテナパネル（第１のアンテナパネルおよび第２のアンテナパネル）を備えている場合に、第１のＳＲＳリソース群に含まれるＳＲＳリソースから送信するＳＲＳについては、第１のアンテナパネルから送信し、第２のＳＲＳリソース群に含まれるＳＲＳリソースから送信するＳＲＳについては、第２のアンテナパネルから送信することができる。
【０１４７】
ＳＲＳリソースセット群は、複数のＳＲＳリソースから構成される。ＳＲＳリソースセット群は、ＳＲＳリソースセット設定ＩＤによって設定されることができる。すなわち、１つのＳＲＳリソースセット設定ＩＤによって設定されるＳＲＳリソースセットは、１つのＳＲＳリソースセット群に含まれる。ＳＲＳリソースセット設定ＩＤは、ＳＲＳリソースセット群に対して、１対１で対応することができる。また、複数のＳＲＳリソースセット設定ＩＤが、１つのＳＲＳリソースセット群に対応することができる。
【０１４８】
基地局装置は、更に複数のＳＲＳリソースセット群に該複数のＳＲＳリソースを分類しておくことができる。基地局装置がそれぞれのＳＲＳリソースセット群に含まれる複数のＳＲＳリソースが、それぞれ空間パラメータについてＱＣＬか否かを示す情報を、端末装置に通知することができる。
【０１４９】
基地局装置は、端末装置にＳＲＳの送信に用いるＳＲＳリソースを適切に設定することで、基地局装置が受信している複数のＳＲＳが、それぞれ端末装置の同じアンテナパネルから送信されているか、異なるアンテナパネルから送信されているかを認識することができる。
【０１５０】
なお、端末装置は、第１のＳＲＳリソースと、第２のＳＲＳリソースとが、受信空間パラメータについてＱＣＬではないと通知されている場合、第１のＳＲＳと第２のＳＲＳを同時に送信することができる。このことは、端末装置は、受信空間パラメータについてＱＣＬであると通知されている場合、第１のＳＲＳと第２のＳＲＳを同時に送信してはならないことを意味している。
また、基地局装置は、端末装置に対して、受信空間パラメータについてＱＣＬであるＳＲＳリソースを通知する、もしくは受信空間パラメータについてＱＣＬであるＳＲＳリソースのみを含むＳＲＳリソースセットを通知する、受信空間パラメータについてＱＣＬであるＳＲＳリソースのみを含むＳＲＳリソースセットを示すＳＲＳリソースセット設定ＩＤを通知することによって、端末装置が複数のＳＲＳを同時に通信することを禁止するように制御することが可能となる。
【０１５１】
また、基地局装置はＳＲＳ送信に関する設定情報を端末装置に送信することができる。ＳＲＳに関する設定情報は、例えばＤＣＩに含まれるＳＲＳリクエストで指示されてもよい。また、ＳＲＳに関する設定情報の候補はＲＲＣレイヤなどの上位層で設定されてもよい。ＳＲＳに関する設定情報は、ＳＲＳリソースの設定情報を含む。例えば、ＳＲＳリソースの設定情報は、ＳＲＳリソースセット設定ＩＤである。ＳＲＳに関する設定情報は、１又は複数のＳＲＳリソースセット設定ＩＤ、及び／又は、１又は複数のＳＲＩを含む。ＳＲＳリソースセット設定ＩＤはＳＲＩと関連してもよい。端末装置は、ＳＲＳリソースセット設定ＩＤが異なる場合、異なるアンテナパネルからＳＲＳを送信することを想定できる。この場合、ＳＲＳに関する設定情報が１つのＳＲＳリソースセット設定ＩＤを含む場合、端末装置は、ＳＲＳリソースセット設定ＩＤと関連する１つのアンテナパネルからＳＲＳを送信する。また、ＳＲＳに関する設定情報が複数のＳＲＳリソースセット設定ＩＤを含む場合、端末装置は、複数のアンテナパネルから同じタイミングでＳＲＳを送信することができる。また、ＳＲＳに関する設定情報は、ＰＵＳＣＨ送信と関連付けることも可能である。例えば、基地局装置は、ＳＲＳに関する設定情報はＰＵＳＣＨ送信（スケジ
ューリング）のためのＤＣＩで指示することができる。この場合、端末装置は、ＤＣＩで指示されるＳＲＩ及び／又はＳＲＳに関する設定情報によって、送信するアンテナパネル及び送信ビーム方向を知ることができる。
【０１５２】
端末装置は、ＰＵＳＣＨを介して基地局装置に対して、データ信号を送信する場合、該ＰＵＳＣＨにおいてデータ信号を送信する際に用いるリソースの情報（スケジューリング情報）を取得することができる。端末装置は該スケジューリング情報を、ＰＤＣＣＨを介して送信されるＤＣＩから取得することができる。
【０１５３】
基地局装置は、該ＤＣＩに対して、ＳＲＩを示すためのＳＲＩフィールドを設定することができる。基地局装置は、ＳＲＩフィールドに所望のＳＲＩを記載することによって、端末装置に対して、端末装置がアンテナに設定するビームフォーミングを設定することができる。基地局装置は、ＤＣＩで通知するＳＲＩに対して、基地局装置が端末装置に設定した複数のＳＲＳリソースに関する空間パラメータに関連付けられた情報を含めることができる。
【０１５４】
基地局装置は、前記ＤＣＩに対して所定のビット数を備えるＳＲＩフィールドを設定することができる。例えば、基地局装置はＳＲＩフィールドを４ビットに設定することができる。基地局装置は、ＳＲＩフィールドに含まれる複数のビットのうち、１ビット（ＳＲＳ−ＱＣＬビット）を用いて、端末装置に予め通知しておいたＳＲＳリソースセット群を示すことができ、残りの３ビットを用いて、端末装置に対してＳＲＳリソースを通知することができる。
【０１５５】
すなわち、この方法によれば、該ＳＲＳ−ＱＣＬビットは、これから送信するＰＵＳＣＨに関連付けられたＳＲＳリソースセット設定情報を示す情報であるともいえる。端末装置が２つのＳＲＳリソースセット設定情報が設定され、それぞれ異なるサブアレーに関連付けられているものとする。該ＳＲＳ−ＱＣＬビットが「０」の場合は、該ＰＵＳＣＨには第１のＳＲＳリソースセット設定情報が関連付けられていると解釈することが端末装置は可能である。つまり、この場合、ＳＲＩフィールドの下位３ビットが指定するＳＲＳリソースは、第１のＳＲＳリソースセット設定情報に含まれるＳＲＳリソースであるから、端末装置は、第１のＳＲＳリソースセット設定情報に含まれるＳＲＳリソースでＳＲＳを送信した場合に使用したサブアレー及び送信ビームを用いて該ＰＵＳＣＨを送信することができる。
【０１５６】
端末装置は、ＳＲＳ−ＱＣＬビットを取得することによって、ＳＲＩフィールドの残りの３ビットが通知しているＳＲＳリソースが、いずれのＳＲＳリソースセット群に含まれるＳＲＳリソースであるかを認識することができる。端末装置は、ＳＲＳ−ＱＣＬビットが示すＳＲＳリソースセット群に含まれるＳＲＳリソースを介してＳＲＳを基地局装置に送信する際に設定したアンテナパネルを、ＰＵＳＣＨの送信に用いることで、適切にアンテナパネルを選択するとともに、適切なビームフォーミングを該アンテナパネルに設定することができる。なお、ＳＲＳ−ＱＣＬビットはＳＲＳに関する設定情報を示しても良い。また、ＳＲＳに関する設定情報の数（候補数、リスト数）によって、ＳＲＳ−ＱＣＬビットは１ビット又は２ビットなど、ビット数が変わってもよい。
【０１５７】
基地局装置は、前記ＤＣＩに対して所定のビット数を備えるＳＲＩフィールドを設定することができる。基地局装置は該ＳＲＩフィールドを、複数のビット領域に分割することができる。例えば、基地局装置は、４ビットのＳＲＩフィールドを、２ビット毎の２つのサブビットフィールド（第１のＳＲＩサブビットフィールド、第２のＳＲＩサブビットフィールド）に分割することができる。基地局装置は、それぞれのＳＲＩサブビットフィールドにおいて、端末装置に対してＳＲＩを通知することができる。端末装置は、第１のＳ
ＲＩサブビットフィールドに記載されているＳＲＩが示すＳＲＳリソースと、第２のＳＲＩサブビットフィールドに記載されているＳＲＩが示すＳＲＳリソースとが、受信空間パラメータについて、ＱＣＬではないことを認識することができる。よって、端末装置は、第１のＳＲＩサブビットフィールドに記載されているＳＲＩが示すビームフォーミングを第１のアンテナパネルに設定し、一方で、第２のＳＲＩサブビットフィールドに記載されているＳＲＩが示すビームフォーミングを第２のアンテナパネルに設定することができる。
【０１５８】
すなわち、この方法によれば、端末装置は、ＤＣＩより、ＰＵＳＣＨが複数のＳＲＳリソースセット設定情報が関連付けられていると解釈することができる。
【０１５９】
なお、基地局装置は、この場合、ＳＲＩフィールドに記載する情報を所定のビットとすることで、端末装置にアンテナパネルの選択を実施させることも可能である。例えば、基地局装置は、ＳＲＩサブビットフィールドにおいて所定のビット列（例えば“００”）を記載することによって、当該ＳＲＩサブビットフィールドに関連付けられている端末装置のアンテナパネルからの送信を禁止することができる。端末装置は、ＳＲＩサブビットフィールドに記載されている情報が該所定のビット列に設定されている場合は、当該ＳＲＩサブビットフィールドに関連付けられているアンテナパネルからＰＵＳＣＨを送信しない。
【０１６０】
端末装置が複数のアンテナパネルを用いてＰＵＳＣＨを送信する場合、ＰＵＳＣＨを介して送信するデータ信号を、どのようにアンテナパネルに振り分けるのか、すなわちレイヤーマッピングが問題となる。本実施形態に係る基地局装置は、複数のコードワード（トランスポートブロック）を送信する端末装置に対して、コードワード自体もしくはコードワードを送信するアンテナポートの受信空間パラメータがＱＣＬかどうかを通知することができる。例えば、端末装置が送信するコードワード数が２であり、また２つのアンテナパネルを備えている場合を考える。基地局装置が端末装置に対して、２つのコードワードが受信空間パラメータについてＱＣＬであると通知した場合、端末装置は、２つのコードワードを同じアンテナパネルから送信しなければならない。この場合、アンテナパネルの選択は、前述してきたようなＳＲＩフィールド内のビットパターンに応じて端末装置は実施することができる。また、ＳＲＳに関する設定情報が、１つのＳＲＳリソースセット設定ＩＤを含む場合で２コードワードを送信する場合、端末装置は、２つのコードワードを同じアンテナパネルから送信する。
【０１６１】
また、基地局装置が端末装置に対して、２つのコードワードが受信空間パラメータについてＱＣＬではないと通知した場合、端末装置は２つのコードワードを異なるアンテナパネルから送信しなければならない。また、ＳＲＳに関する設定情報が、２つのＳＲＳリソースセット設定ＩＤを含む場合、端末装置は、２つのコードワードを異なるアンテナパネルから送信する。なお、基地局装置が端末装置に対して、２つのコードワードがＱＣＬであるか否かを通知する方法は何かに限定されるものではないが、基地局装置はＤＣＩに１ビット又は複数ビットを追加することで、当該情報を通知することができるし、上位レイヤのシグナリングによって通知することができる。
【０１６２】
以上、説明してきた方法によれば、基地局装置はＤＣＩのＳＲＩフィールドによって、複数のアンテナパネルを備える端末装置に対して、ＰＵＳＣＨ（もしくはＳＲＳ）の送信に用いるアンテナパネルを適切に設定することができる。しかし、当然ながら、基地局装置に接続される端末装置の全てが複数のアンテナパネルを備えているわけではない。また、端末装置は消費電力の観点から、常に複数のアンテナパネルが使用可能な状態にあるとも言い切れない。そこで、基地局装置は、ＤＣＩのＳＲＩフィールドに、これまで説明してきたような、ＳＲＳリソースの受信空間パラメータに関連付けられた情報が含まれてい
るか否かを端末装置に通知することができる。
【０１６３】
基地局装置は、ＳＲＩフィールドに該受信空間パラメータに関連付けられた情報が含まれているか否かを示す情報を上位レイヤ（ＲＲＣシグナリング）で通知することができる。端末装置が、該上位レイヤのシグナリングに受信することによって、受信したＤＣＩに記載されたＳＲＩに受信空間パラメータに関連付けられた情報が含まれているか否かを認識することができる。また、基地局装置は、ＳＲＩフィールドに該受信空間パラメータに関連付けられた情報が、含まれているか否かに応じて、該ＤＣＩに設定するスクランブリング設定を変更することができる。
【０１６４】
本実施形態に係る基地局装置は、所定のＲＮＴＩ（Radio network temporally identifier）に基づいて、該ＤＣＩにマスクを施す。該マスクについては、例えば、該ＲＮＴＩ
に基づいてスクランブリングに用いる信号系列を生成する際のパラメータ（生成多項式、初期値、シード値）を決定し、該信号系列を用いて、該ＤＣＩにスクランブリングを施すことができる。端末装置は、該ＰＤＣＣＨの所定のリソースで受信された信号に対して、可能性のある信号系列を用いて復号を試行し、正しくＤＣＩを復号できた場合に使用した信号系列の生成に関連付けられたＲＮＴＩの種類によって、ＤＣＩの解釈方法（例えば、ＳＲＩフィールドに記載の情報の読み取り方）を決定することができる。正しくＤＣＩを復号できたか否かは、誤り検出符号（例えばＣＲＣ）に基づいたパリティチェックによって行なうことができる。つまりＣＲＣチェックが正しく行われれば、該ＤＣＩは正しく復号できたものと判断するということである。本実施形態に係る基地局装置は、パリティチェックのために付与されるパリティチェック系列に対して、該ＲＮＴＩに基づいて、スクランブリングを施すことができる。パリティチェックが正しく行われるスクランブリング方法に関連付けられたＲＮＴＩによって、ＤＣＩの解釈方法を端末装置は切り替えることが可能である。
【０１６５】
この場合、基地局装置は、端末装置に対して、該ＤＣＩに対して複数のスクランブリング設定が設定されている可能性があるか否かを通知（例えば上位レイヤのシグナリング）することができる。端末装置は、基地局装置から送信される下りリンク信号のＰＤＣＣＨが設定されている無線リソースに対して、基地局装置より通知されている複数のスクランブリング設定に基づいてブラインド復号を実施することが可能であり、ＤＣＩを正しく復号することが出来た場合に用いたスクランブリング設定（RNTI）に基づいて、該ＤＣＩに含まれるＳＲＩフィールドに、ＳＲＳリソースの受信空間パラメータに関連付けられた情報が含まれているか否かを認識することが可能となる。
【０１６６】
基地局装置は、端末装置に対して、ＳＲＩを１ないし複数通知することができる。上記説明してきた方法は、１つのＳＲＩを通知するシングルＳＲＩの場合と、少なくとも２つの複数のＳＲＩを通知するマルチＳＲＩとに設定することができる。例えば、基地局装置は端末装置にシングルＳＲＩを設定する場合、基地局装置はＤＣＩにＳＲＩフィールドを１つだけ設定することになるから、ＳＲＩフィールドに受信空間パラメータに関する情報を含めることになる。例えば、基地局装置はＳＲＩフィールドに含まれる１ビットを用いて、該ＳＲＩフィールドが通知するＳＲＩの受信空間パラメータに関する情報を含めることができる、また、基地局装置は端末装置にマルチＳＲＩを設定する場合、基地局装置はＤＣＩにＳＲＩフィールドを２つ設定することもできるが、ＳＲＩフィールドを１つ設定する場合でも、上述してきた方法によって、ＳＲＩフィールドを２つのサブフィールドに分割することによって、複数のＳＲＩを端末装置に通知することが可能となる。
【０１６７】
基地局装置は複数のアンテナパネルを備える端末装置に対して、該複数のアンテナパネルを固定的に用いるか、動的に用いるかを予め通知することができる。逆に、端末装置が基地局装置に対して、複数のアンテナパネルを固定的に用いるか、動的に用いるかを予め
通知することができる。アンテナパネルを固定的に用いる場合、端末装置は基本的には１つのアンテナパネルを用いて基地局装置と通信を行なうことになるから、例えば基地局装置から設定される複数のＳＲＳリソースは、空間パラメータについてＱＣＬであるといえる。また、この場合、端末装置は、基地局装置から設定される複数のＳＲＳリソースにおいて、受信空間パラメータがＱＣＬと設定されたＳＲＳリソース（もしくはＳＲＳリソースを指定するＳＲＩ）だけを用いて基地局装置と通信を行なうことになる。一方で、複数のアンテナパネルを動的に用いる場合、端末装置は複数のアンテナパネルを同時に用いる、又は、ＰＵＳＣＨの送信毎（フレーム毎、サブフレーム毎、スロット毎）に選択して用いることになる。
【０１６８】
また、基地局装置は、ＤＣＩに対して、ＳＲＩフィールドに記載されているＳＲＩの空間パラメータに関連付けられた情報を記載するフィールド（ＳＲＳ−ＱＣＬフィールド、第１のフィールド）を設定することができる。基地局装置は例えば２ビットのＳＲＳ−ＱＣＬフィールドを設定することができ、そのうち、１ビットは、第１のＳＲＳリソースセット群を示し、残りの１ビットが第２のＳＲＳリソースセット群を示すことができる。端末装置は、ＳＲＳ−ＱＣＬフィールドに記載の情報を取得することによって、ＰＵＳＣＨを送信する際に設定するアンテナパネルを判断することができる。つまり、第１（２）のＳＲＳリソースセット群を示すビットがセットされている場合には、第１（２）のＳＲＳリソースセット群に含まれるＳＲＳリソースからＳＲＳを送信したアンテナパネル（第１（１）のアンテナパネル）を用いてＰＵＳＣＨを送信することができる。また、第１および第２のＳＲＳリソースセット群を示すビットが両方セットされている場合は、端末装置は、第１のアンテナパネルと第２のアンテナパネルの両方を用いることができる。なお、両方のビットがセットされていない場合、端末装置は、基地局装置との間で予め取り決めておいた処理を行なうことができる。予め取り決めておいた処理として、例えば、端末装置は、基地局装置との間で予め取り決めていたアンテナパネルおよびビームフォーミング（すなわちＳＲＩ）でＰＵＳＣＨを送信することができる。基地局装置は、ＳＲＳ−ＱＣＬフィールドを備える新たなフォーマットを設定することができる。
【０１６９】
すなわち、この方法によれば、端末装置は、ＤＣＩのＳＲＩフィールド以外の所定のフィールドから、ＰＵＳＣＨに対して、複数のＳＲＳリソースセット設定情報が関連付けられているか否かを判断する情報を取得することができる。
【０１７０】
なお、端末装置は、スケジューリング要求（ＳＲ）信号を基地局装置に送信する際に、該ＳＲにおいて、端末装置が複数のアンテナパネルを同時に用いることができるような無線リソースを要求する情報をＳＲに含めることができる。
【０１７１】
なお、以上説明してきた中で、基地局装置が端末装置に通知することによって端末装置に設定してきた処理に関しては、基地局装置が通知するのではなく、端末装置との間で予め取り決めておくことが可能である。
【０１７２】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１７３】
尚、本発明に関わる実施形態の機能を実現するためのプログラムをコンピュータが読み取り可能な記録媒体に記録しても良い。この記録媒体に記録されたプログラムをコンピュ
ータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１７４】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１７５】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１７７】
本発明は、基地局装置、端末装置および通信方法に用いて好適である。
【符号の説明】
【０１７８】
１Ａ、３Ａ、５Ａ、７Ａ、９Ａ  基地局装置
２Ａ、４Ａ、６Ａ  端末装置
１０１  上位層処理部
１０２  制御部
１０３  送信部
１０４  受信部
１０５  送受信アンテナ
１０６  測定部
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  測定部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2019103057.tif 000003
【図２】
2019103057.tif 000004
【図３】
2019103057.tif 000005
【図４】
2019103057.tif 000006
【図５】
2019103057.tif 000007